(57)【要約】  無線端末に対して当該無線端末に装備された所定の機能を起動させるウェイクアップ信号を含む送信信号情報を無線通信にて送信するウェイクアップ信号送信部を備え、前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信する。
2015072053.tif 000002
【特許請求の範囲】
【請求項１】
無線端末に対して当該無線端末に装備された所定の機能を起動させるウェイクアップ信号を含む送信信号情報を無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信する、
基地局。
【請求項２】
請求項１に記載の基地局であって、
前記ウェイクアップ信号送信部は、前記無線端末が無線通信にて接続するネットワーク名を示すネットワーク名情報と、無線通信に用いる周波数帯域を示す使用チャネル情報と、を含む前記接続情報を送信する、
基地局。
【請求項３】
請求項２に記載の基地局であって、
前記所定の機能とは無線通信で基地局と接続する機能であり、
前記ネットワーク名情報とはＥＳＳＩＤ（Ｅｘｔｅｎｄｅｄ  Ｓｅｒｖｉｃｅ  Ｓｅｔ  Ｉｄｅｎｔｉｆｉｅｒ）である、
基地局。
【請求項４】
請求項１乃至３いずれか１項に記載の基地局であって、
前記ウェイクアップ信号送信部は、前記ウェイクアップ信号と前記接続情報とに、前記無線端末と前記基地局との間で行われる認証処理に必要となる認証処理情報を加えて前記送信信号情報として送信する、
基地局。
【請求項５】
請求項１乃至４いずれか１項に記載の基地局であって、
前記ウェイクアップ信号送信部は、前記無線端末に装備された前記所定の機能を停止させる機能停止信号を送信可能なように構成された、
基地局。
【請求項６】
請求項１乃至５いずれか１項に記載の基地局であって、
前記ウェイクアップ信号送信部は、送信する無線フレームのフレーム長を制御することで、前記無線端末に対して前記送信信号情報を送信する、
基地局。
【請求項７】
基地局から当該基地局と所定の機能を用いて無線通信にて接続するための接続情報が付加されたウェイクアップ信号を受信するウェイクアップ信号受信部を備え、
前記ウェイクアップ信号受信部が受信した前記ウェイクアップ信号に応じて所定の機能を起動させ、当該起動させた所定の機能にて、前記接続情報を用いて接続処理を行う、
無線端末。
【請求項８】
基地局が、無線端末に対して当該無線端末に装備された所定の機能を起動させるウェイクアップ信号を含む送信信号情報を無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信し、
前記ウェイクアップ信号と、前記接続情報と、からなる前記送信信号情報を受信した前記無線端末は、前記ウェイクアップ信号に応じて当該無線端末が装備する前記所定の機能を起動させ、当該起動させた所定の機能にて、前記接続情報を用いて接続処理を行う、
通信システム。
【請求項９】
基地局が、無線端末に装備された所定の機能を起動させるウェイクアップ信号と、前記ウェイクアップ信号の送信先である前記無線端末が前記所定の機能を用いて無線通信にて接続するための接続情報と、を前記無線端末に送信し、
前記ウェイクアップ信号と前記接続情報とを受信した前記無線端末は、前記ウェイクアップ信号に応じて前記所定の機能を起動させ、当該起動させた所定の機能にて、前記接続情報を用いて接続処理を行う、
通信方法。
【請求項１０】
基地局に、
無線端末に対して当該無線端末に装備された所定の機能を起動させるウェイクアップ信号を含む送信信号情報を無線通信にて送信するウェイクアップ信号送信手段を実現させ、
前記ウェイクアップ信号送信手段は、前記ウェイクアップ信号に、当該ウェイクアップ信号の送信先である前記無線端末が前記所定の機能を用いて無線通信にて接続するための接続情報を加えて前記送信信号情報として前記無線端末に送信する機能を有する、
プログラム。
【発明の詳細な説明】
【技術分野】
【０００１】
本発明は、基地局、無線端末、通信システム、通信方法、プログラムに係り、特に、所定の機能のＯＮ、ＯＦＦを無線信号により制御する基地局、無線端末、通信システム、通信方法、プログラムに関する。
【背景技術】
【０００２】
スマートホンなどの無線端末の普及に伴い、移動通信のトラフィックは増加の一途を辿っている。その結果、バックボーン回線の容量不足が生じており、エンドユーザの使用感への影響も顕著化し始めている。【０００３】
このような問題の対策として、Ｗｉ−Ｆｉを活用したデータのオフロードが考えられている。しかしながら、Ｗｉ−ＦｉをＯＮにすると、無線端末は周囲に接続可能な基地局（ＡＰ、Ａｃｃｅｓｓ  Ｐｏｉｎｔ）がないか定期的にサーチすることになる。その結果、無線端末は電力を消費し続けることとなり、無線端末の電池持ちを悪化させることになってしまう。そのため、Ｗｉ−ＦｉはＯＦＦにされることが多く、データのオフロードは進んでいなかった。【０００４】
このような問題に対処するため、通常はＷｉ−Ｆｉの設定をＯＦＦにしておき、Ｗｉ−Ｆｉを利用できるときにだけＷｉ−Ｆｉの設定を自動的にＯＮに変更することで、Ｗｉ−Ｆｉの受信待機電力の消費を抑制するウェイクアップシステムが考えられている。【０００５】
このようなウェイクアップシステムを用いた技術としては、例えば、特許文献１、２に開示されているものがある。特許文献１、２には、端末側からのウェイクアップ信号により無線基地局や無線ルータが起動する技術が記載されている。このような技術を用いることで、無線基地局や無線ルータの未使用時にはスリープ状態にしておきつつ、利用時に自動で起動させることが出来る。
【先行技術文献】
【特許文献】
【０００６】
【特許文献１】特開２０１３−１６２４７６号公報
【特許文献２】特開２０１３−００９４３１号公報
【発明の概要】
【発明が解決しようとする課題】
【０００７】
しかしながら、特許文献１、２に記載の技術では、Ｗｉ−ＦｉをＯＮにしたときに、接続可能なＷｉ−Ｆｉ基地局（ＡＰ）のサーチやチャネル（ｃｈ、ｃｈａｎｎｅｌ）等の接続情報を取得する必要が無線端末に生じることになる。その結果、Ｗｉ−ＦｉをＯＮにしてから接続処理を行うまでに、時間がかかることになっていた。【０００８】
また、Ｗｉ−Ｆｉ接続にあたり、Ｗｉ−Ｆｉ基地局は不特定の端末を認証する必要がある。そのため、Ｗｉ−Ｆｉ基地局は認証処理の前に認証に必要な情報をその都度取得することが必要となり、その結果、認証処理においても時間がかかることになっていた。【０００９】
このように、端末をウェイクアップさせてＷｉ−Ｆｉを用いるというシステムには、通信が確立するまでに時間がかかるという問題が生じていた。【００１０】
そこで、本発明の目的は、上述した課題である、ウェイクアップ信号を用いるシステムにおいて、通信が確立するまでに時間がかかるという問題、を解決する基地局を提供することにある。
【課題を解決するための手段】
【００１１】
かかる目的を達成するため本発明の一形態である基地局は、
無線端末に対して当該無線端末に装備された所定の機能を起動させるウェイクアップ信号を含む送信信号情報を無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信する、
という構成を採る。【００１２】
また、本発明の他の形態である無線端末は、
基地局から当該基地局と所定の機能を用いて無線通信にて接続するための接続情報が付加されたウェイクアップ信号を受信するウェイクアップ信号受信部を備え、
前記ウェイクアップ信号受信部が受信した前記ウェイクアップ信号に応じて所定の機能を起動させ、当該起動させた所定の機能にて、前記接続情報を用いて接続処理を行う、
という構成を採る。【００１３】
また、本発明の他の形態である通信システムは、
基地局が、無線端末に対して当該無線端末に装備された所定の機能を起動させるウェイクアップ信号を含む送信信号情報を無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信し、
前記ウェイクアップ信号と、前記接続情報と、からなる前記送信信号情報を受信した前記無線端末は、前記ウェイクアップ信号に応じて当該無線端末が装備する前記所定の機能を起動させ、当該起動させた所定の機能にて、前記接続情報を用いて接続処理を行う、
と言う構成を採る。【００１４】
また、本発明の他の形態である通信方法は、
基地局が、無線端末に装備された所定の機能を起動させるウェイクアップ信号と、前記ウェイクアップ信号の送信先である前記無線端末が前記所定の機能を用いて無線通信にて接続するための接続情報と、を前記無線端末に送信し、
前記ウェイクアップ信号と前記接続情報とを受信した前記無線端末は、前記ウェイクアップ信号に応じて前記所定の機能を起動させ、当該起動させた所定の機能にて、前記接続情報を用いて接続処理を行う、
という構成を採る。【００１５】
また、本発明の他の形態であるプログラムは、
基地局に、
無線端末に対して当該無線端末に装備された所定の機能を起動させるウェイクアップ信号を含む送信信号情報を無線通信にて送信するウェイクアップ信号送信手段を実現させ、
前記ウェイクアップ信号送信手段は、前記ウェイクアップ信号に、当該ウェイクアップ信号の送信先である前記無線端末が前記所定の機能を用いて無線通信にて接続するための接続情報を加えて前記送信信号情報として前記無線端末に送信する機能を有する、
プログラムである。
【発明の効果】
【００１６】
本発明は、以上のように構成されることにより、ウェイクアップ信号を用いるシステムにおいて、迅速に通信を確立することの出来る基地局を提供することが出来る。
【図面の簡単な説明】
【００１７】
【図１】第１の実施形態における通信システムの構成を示す図である。
【図２】図１で示すＷｉ−Ｆｉ基地局の構成を示すブロック図である。
【図３】図２で示すウェイクアップ信号送信部が送信する送信信号情報の構成を示すブロック図である。
【図４】図１で示すモバイル端末の構成を示すブロック図である。
【図５】一般的な通信システムにおける動作を示すシーケンス図である。
【図６】第１の実施形態における通信システムの動作を示すシーケンス図である。
【図７】第２の実施形態における情報送信の際の構成を示す図である。
【図８】第２の実施形態におけるビット列フレーム長対応表の構成の一例を示す図である。
【図９】第２の実施形態におけるフレーム長ビット列対応表の構成の一例を示す図である。
【図１０】第３の実施形態における通信システムの構成の一例を示す図である。
【図１１】第３の実施形態における通信システムの構成の一例を示す図である。
【図１２】図１１で示すＷｉＦｉＯＦＦ信号送信装置が送信する信号の構成を示すブロック図である。
【図１３】一般的な通信システムにおける動作を示すシーケンス図である。
【図１４】第３の実施形態における通信システムの動作を示すシーケンス図である。
【図１５】第４の実施形態における基地局８の構成の概略を示すブロック図である。
【図１６】図１５で示すウェイクアップ信号送信部が送信する信号の構成を示すブロック図である。
【図１７】第５の実施形態における無線端末９の構成の概略を示すブロック図である。
【図１８】第６の実施形態における通信システム１００の構成の概略を示すブロック図である。
【発明を実施するための形態】
【００１８】
＜実施形態１＞
本発明の第１の実施形態を、図１乃至図６を用いて説明する。図１は、第１の実施形態における通信システム１の構成を示す図である。図２は、図１で示すＷｉ−Ｆｉ基地局２の構成を示すブロック図である。図３は、図２で示すウェイクアップ信号送信部２１により送信される送信信号情報の構成を示すブロック図である。図４は、図１で示すモバイル端末３の構成を示すブロック図である。図５は、一般的な通信システムにおけるＡＰ５とＳＴＡ６とが接続する際の動作を示すシーケンス図である。図６は、第１の実施形態における通信システム１のＷｉ−Ｆｉ基地局２とモバイル端末３とが接続する際の動作を示すシーケンス図である。
【００１９】
（構成）
本発明の第１の実施形態では、図１で示すように、Ｗｉ−Ｆｉ基地局２とモバイル端末３とを備える通信システム１について説明する。本実施形態におけるＷｉ−Ｆｉ基地局２（基地局、ＡＰ、Ａｃｃｅｓｓ  Ｐｏｉｎｔ）は、後述するように、ウェイクアップ信号４１を送信する機能を備えている。ウェイクアップ信号４１とは、当該ウェイクアップ信号４１を受信したモバイル端末３（無線端末、ＳＴＡ、Ｓｔａｔｉｏｎ）に装備されたＷｉ−Ｆｉ（Ｗｉｒｅｌｅｓｓ  Ｆｉｄｅｌｉｔｙ）機能をＯＦＦからＯＮに切り替える信号である。
【００２０】
なお、通常時（例えば、Ｗｉ−Ｆｉ基地局２のセルの範囲外などのＷｉ−Ｆｉ不使用時）においては、モバイル端末３のＷｉ−ＦｉはＯＦＦにされているとする。モバイル端末３は、モバイル端末３が装備するＷｉ−ＦｉをＯＮにすると、周囲に接続可能なＷｉ−Ｆｉ基地局がないか定期的にサーチすることになる。その結果、モバイル端末３は電力を消費し続けることとなり、モバイル端末３の電池持ちを悪化させることになってしまうからである。
【００２１】
Ｗｉ−Ｆｉ基地局２は、無線ＬＡＮ（Ｗｉｒｅｌｅｓｓ  Ｌｏｃａｌ  Ａｒｅａ  Ｎｅｔｗｏｒｋ）で端末間を接続する無線ＬＡＮアクセスポイントとしての機能と、異なるネットワーク同士を接続するルータとしての機能と、を備える基地局である。つまり、Ｗｉ−Ｆｉ基地局２は、一般的な無線ＬＡＮルータとしての機能を備えている。なお、この部分については既知の技術であるため詳細な説明は省略する。
【００２２】
また、Ｗｉ−Ｆｉ基地局２は、図２で示すように、ウェイクアップ信号送信部２１を備えている。
【００２３】
ウェイクアップ信号送信部２１は、予め定められた周期で定期的にウェイクアップ信号４１を含む送信信号情報を送信する。具体的には、図３で示すように、本実施形態におけるウェイクアップ信号送信部２１は、ウェイクアップ信号４１に、ネットワーク名情報４２１と使用チャネル情報４２２とから構成される接続情報４２と、認証処理情報４３と、を加えて送信信号情報として送信する。ウェイクアップ信号送信部２１は、Ｗｉ−Ｆｉ基地局２が備え、上記無線ＬＡＮアクセスポイントとしての機能を実現させるためなどに利用されるアンテナ部などを介して、送信信号情報を送信することになる。
【００２４】
ウェイクアップ信号４１は、当該ウェイクアップ信号４１を受信したモバイル端末３に装備されたＷｉ−Ｆｉ機能をＯＦＦからＯＮに切り替える信号である。上述したように、Ｗｉ−Ｆｉ基地局２はウェイクアップ信号４１を定期的に送信している。そのため、Ｗｉ−Ｆｉ基地局２のセルの範囲内に侵入したモバイル端末３はＷｉ−Ｆｉ基地局２が送信するウェイクアップ信号４１を受信することになる。その結果、モバイル端末３のＷｉ−Ｆｉ機能は、自動的にＯＦＦからＯＮに切り替わる。
【００２５】
なお、ウェイクアップ信号４１は、ウェイクアップさせる対象を特定する端末特定情報を含んで構成されても構わない。ここで、端末特定情報とは、キャリア毎に異なるグループＩＤや端末毎に異なる端末ＩＤなどである。例えば、キャリアＩＤを特定する端末特定情報を含むウェイクアップ信号４１を送信することで、特定のキャリアの端末のみをウェイクアップさせることが可能になる。
【００２６】
接続情報４２は、上述したように、ネットワーク名情報４２１と、使用チャネル情報４２２と、から構成される。
【００２７】
ネットワーク名情報４２１とは、当該ネットワーク名情報４２１の送信先であるモバイル端末３が接続するネットワークを識別するための情報である。具体的には、本実施形態におけるネットワーク名情報４２１とは、ＥＳＳ−ＩＤ（Ｅｘｔｅｎｄｅｄ  Ｓｅｒｖｉｃｅ  Ｓｅｔ  Ｉｄｅｎｔｉｆｉｅｒ）のことである。つまり、本実施形態におけるネットワーク名情報４２１は、ＩＥＥＥ  ８０２．１１無線ＬＡＮにおけるネットワークの識別子を示している。ネットワーク名情報４２１を受信したモバイル端末は、当該ネットワーク名情報が示すネットワーク（Ｗｉ−Ｆｉ基地局２）に接続を試みることになる。
【００２８】
使用チャネル情報４２２とは、Ｗｉ−Ｆｉ基地局２とモバイル端末３との間で行われる無線通信において使用されることになる周波数帯域を示す情報である。本実施形態における使用チャネル情報４２２は、１ｃｈから１３ｃｈのいずれか一つのチャネルを示すことになる。Ｗｉ−Ｆｉ基地局２は、例えば、無線通信に使用しているチャネルなどの情報から最も干渉が少ないと判断されるチャネルを選択する。そして、Ｗｉ−Ｆｉ基地局２は、当該選択されたチャネルを示す使用チャネル情報４２２を、モバイル端末３に送信することになる。
【００２９】
なお、使用チャネル情報４２２で示されるチャネルは、必ずしも１ｃｈから１３ｃｈのいずれか一つである場合に限定されない。例えば、使用チャネル情報４２２は、１ｃｈから１４ｃｈのいずれか一つのチャネルを示しても構わない。また、例えば、使用チャネル情報４２２は、隣り合う２つのチャネルを示しても構わない。使用チャネル情報４２２は、無線通信の規格やチャネルボンディングなどに応じたチャネルを示す情報により構成されることが出来る。
【００３０】
認証処理情報４３は、認証処理を行う際に必要となる情報を示している。つまり、認証処理情報４３は、ＥＳＳ−ＩＤやＭＡＣアドレス、ユーザ名とパスワードなどのうち、Ｗｉ−Ｆｉ基地局２が認証処理を行う際に必要となる情報を示している。このような認証処理情報を事前にモバイル端末３に送信しておくことで、モバイル端末３は、後述するように迅速に認証要求を行うことが可能になる。
【００３１】
なお、上述したように、本実施形態における認証処理情報４３はウェイクアップ信号４１と同時に送信される。つまり、認証処理情報４３を受信するモバイル端末３は、限られた相手であるウェイクアップ対象者であると考えられる。また、Ｗｉ−Ｆｉ基地局２は、ウェイクアップ対象者であるモバイル端末３に対して情報をリアルタイムで配信することが可能である。そのため、Ｗｉ−Ｆｉ基地局２は、認証処理を行う際に必要となる情報である認証処理情報４３をモバイル端末３に事前に送信することが可能となる。
【００３２】
以上説明したウェイクアップ信号４１と、接続情報４２と、認証処理情報４３と、をＷｉ−Ｆｉ基地局２（のウェイクアップ信号送信部２１）は予め定められた周期毎に送信する。従って、Ｗｉ−Ｆｉ基地局２のセルの範囲内に侵入したモバイル端末３は、Ｗｉ−Ｆｉ基地局２が定期的に送信するウェイクアップ信号４１と、接続情報４２と、認証処理情報４３と、を受信することになる。ここで、モバイル端末３の構成について図４を用いて説明する。
【００３３】
本実施形態におけるモバイル端末３は、Ｗｉ−Ｆｉによる無線通信機能を備えるスマートホンなどの無線端末である。本実施形態におけるモバイル端末３は、Ｗｉ−Ｆｉ機能をＯＮとＯＦＦとに切り替えることが出来るように構成されている。モバイル端末３の構成のうち一般的な構成についての説明は、既知の技術であるため省略する。
【００３４】
また、モバイル端末３は、図４で示すように、ウェイクアップ信号受信部３１を備えている。さらに、モバイル端末３は、図示しないＷｉ−Ｆｉ機能制御部を備えている。
【００３５】
ウェイクアップ信号受信部３１は、Ｗｉ−Ｆｉ基地局２（のウェイクアップ信号送信部）が送信するウェイクアップ信号４１と、接続情報４２と、認証処理情報４３と、を受信する。モバイル端末３は、ウェイクアップ信号受信部３１が受信したウェイクアップ信号４１と、接続情報４２と、認証処理情報４３と、を用いて後述する処理を行うことになる。
【００３６】
Ｗｉ−Ｆｉ機能制御部は、ウェイクアップ信号受信部３１が受信したウェイクアップ信号に応じて、モバイル端末３が備えるＷｉ−Ｆｉ機能の制御を行う。具体的には、Ｗｉ−Ｆｉ機能制御部は、ウェイクアップ信号受信部３１がウェイクアップ信号を受信すると、当該ウェイクアップ信号受信部３１を備えるモバイル端末３のＷｉ−ＦｉをＯＦＦからＯＮに切り替える。
【００３７】
このように、モバイル端末３は、ウェイクアップ信号受信部３１とＷｉ−Ｆｉ機能制御部とを備えている。そのため、モバイル端末３は、Ｗｉ−Ｆｉ基地局２が定期的に送信するウェイクアップ信号４１を受信して、当該モバイル端末３のＷｉ−ＦｉをＯＦＦからＯＮに切り替えることが出来る。
【００３８】
また、上述したように、Ｗｉ−Ｆｉ基地局２は、ウェイクアップ信号４１に加えて接続情報４２と認証処理情報４３とを定期的に送信している。そのため、Ｗｉ−ＦｉをＯＮに切り替えたモバイル端末３は、ウェイクアップ信号受信部３１が受信した接続情報を用いて接続要求を行うことが出来る。具体的には、モバイル端末３は、接続情報が示すＷｉ−Ｆｉ基地局２（ネットワーク）に、接続情報が示すチャネルで接続を要求する。つまり、モバイル端末３は、接続情報のスキャンを行う必要なく即座に接続処理を行うことが出来る。
【００３９】
さらに、上記処理によりＷｉ−Ｆｉ基地局２とモバイル端末３とが接続した後、モバイル端末３は、ウェイクアップ信号受信部３１が受信した認証処理情報４３に基づいて、Ｗｉ−Ｆｉ基地局２に対して認証要求を行うことが出来る。つまり、モバイル端末３が認証処理に必要な情報を予め受信しておくことで、接続時の認証処理にかかる時間を短縮することが出来る。
【００４０】
以上が、本実施形態における通信システム１の構成である。このように構成することで、ウェイクアップ信号４１を用いて迅速に通信を確立することの出来る通信システム１を構成することが出来る。
【００４１】
次に、一般的な通信システムにおける動作と本実施形態における通信システム１の動作について、図５、図６を用いて説明する。
【００４２】
（動作）
まず図５を用いて、一般的な通信システムにおけるＡＰ５（Ｗｉ−Ｆｉ基地局）とＳＴＡ６（モバイル端末）とが接続する際の動作について説明する。なお、以下においては、ＡＰ５はウェイクアップ信号を送信出来るように構成されており、ＳＴＡ６はウェイクアップ信号を受信して処理を行うことが出来るように構成されているとする。
【００４３】
まず、ＡＰ５は、予め定められた周期で定期的にウェイクアップ信号を送信している。
【００４４】
そのため、ＡＰ５のセルの範囲内に侵入したＳＴＡ６は、ＡＰ５が定期的に送信するウェイクアップ信号を受信することになる。すると、ウェイクアップ信号を受信したＳＴＡ６は、Ｗｉ−ＦｉをＯＦＦからＯＮに切り替える。
【００４５】
続いて、Ｗｉ−ＦｉをＯＮに切り替えたＳＴＡ６は、ｃｈ０からｃｈ１３までをスキャンし、通信可能なエリアに存在するＡＰ名を確認する。そして、ＳＴＡ６は、確認したＡＰ名の中からＳＴＡ６のアルゴリズムに従い接続するＡＰ名を決定し、そのＡＰ名に対して（図５ではＡＰ５）接続要求を行う。その後、接続要求を受けたＡＰ５は、接続を応答する。これにより、ＳＴＡ６はＡＰ５と接続（無線ＬＡＮに接続）することになる。
【００４６】
続いて、ＳＴＡ６は認証データの要求をＡＰ５に対して行い、ＡＰ５から認証データの情報を取得する。そして、ＳＴＡ６は、取得した認証データの情報を用いて認証要求を行う。また、ＳＴＡ６からの認証要求を受けて、ＡＰ５は認証を行う。一般的な通信システムにおいては、このような動作により、Ａｐ５とＳＴＡ６との接続が確立することになる。
【００４７】
このように、一般的な通信システムにおいては、Ｗｉ−ＦｉをＯＮに切り替えた際に接続するＡＰ名とｃｈが不明なため、全ｃｈをスキャンして接続情報を収集する必要がある。また、Ｗｉ−Ｆｉ接続にあたりＡＰは不特定の端末を認証する必要があるため、認証処理の前に、認証に必要な情報をその都度取得する必要がある。そのため、一般的な通信システムにおいては、通信が確立するまでに時間がかかることになる。
【００４８】
次に、本実施形態の通信システム１におけるＷｉ−Ｆｉ基地局２（ＡＰ）とモバイル端末３（ＳＴＡ）とが接続する際の動作について図６を用いて説明する。
【００４９】
本実施形態におけるＷｉ−Ｆｉ基地局２（のウェイクアップ信号送信部２１）は、ウェイクアップ信号４１に加えて、ネットワーク名情報４２１と使用チャネル情報４２２とから構成される接続情報４２と、認証処理情報４３と、を予め定められた周期で定期的に送信している。
【００５０】
そのため、Ｗｉ−Ｆｉ基地局２のセルの範囲内に侵入したモバイル端末３は、Ｗｉ−Ｆｉ基地局２が定期的に送信するウェイクアップ信号４１と、接続情報４２と、認証処理情報４３と、を受信することになる。そこで、ウェイクアップ信号４１と、接続情報４２と、認証処理情報４３と、を受信したモバイル端末３は、ウェイクアップ信号４１と、接続情報４２と、認証処理情報４３と、を用いて、後述する処理を行うことになる。
【００５１】
まず、モバイル端末３のＷｉ−Ｆｉ機能制御部は、ウェイクアップ信号受信部３１が受信したウェイクアップ信号に応じて、モバイル端末３が備えるＷｉ−Ｆｉ機能の制御を行う。具体的には、モバイル端末３のＷｉ−Ｆｉ機能制御部は、当該モバイル端末３のＷｉ−ＦｉをＯＦＦからＯＮに切り替える。
【００５２】
続いて、Ｗｉ−ＦｉをＯＮに切り替えたモバイル端末３は、ウェイクアップ信号受信部３１が受信した接続情報に応じたＷｉ−Ｆｉ基地局２に対して、接続情報が示すチャネルで、接続を要求する接続要求を行う。そして、接続要求を受けたＷｉ−Ｆｉ基地局２は、接続応答を行う。このような動作により、モバイル端末３は無線ＬＡＮに接続することが出来る。
【００５３】
続いて、Ｗｉ−Ｆｉ基地局２とモバイル端末３とが接続した後（無線ＬＡＮに接続した後）に、モバイル端末３は、ウェイクアップ信号受信部３１が受信した認証処理情報４３に基づいて、Ｗｉ−Ｆｉ基地局２に対して認証要求を行う。そして、認証要求を受けたＷｉ−Ｆｉ基地局２は、認証応答を行う。このような動作により、Ｗｉ−Ｆｉ基地局２とモバイル端末３との接続が確立することになる。
【００５４】
以上が、本実施形態の通信システム１におけるＷｉ−Ｆｉ基地局２とモバイル端末３とが接続する際の動作である。
【００５５】
このように、本実施形態におけるＷｉ−Ｆｉ基地局２は、ウェイクアップ信号４１を送信する際にウェイクアップ信号４１に加えて、ネットワーク名情報４２１と使用チャネル情報４２２とから構成される接続情報４２を送信する。このような構成により、ウェイクアップ信号４１を受信することでＷｉ−ＦｉをＯＮにしたモバイル端末３は、ウェイクアップ信号４１と同時に受信した接続情報を用いて接続要求を行うことが出来る。つまり、接続要求の前にチャネルのスキャン等を行う必要がなくなる。その結果、モバイル端末３とＷｉ−Ｆｉ基地局２とからなる通信システム１は、迅速に通信を確立することが出来るようになる。
【００５６】
また、Ｗｉ−Ｆｉ基地局２は、ウェイクアップ信号４１を送信する際にウェイクアップ信号４１に加えて、認証処理情報４３を送信する。このような構成により、無線ＬＡＮに接続したモバイル端末３は、認証処理情報４３に基づいて認証要求を行うことが出来る。つまり、認証要求を行う前にＷｉ−Ｆｉ基地局２に対して認証データを要求する必要がなくなる。その結果、モバイル端末３とＷｉ−Ｆｉ基地局２とからなる通信システム１は、迅速に通信を確立することが出来るようになる。
【００５７】
なお、本実施形態においては、無線システムの一例としてＷｉ−Ｆｉを挙げた。しかしながら本発明は、Ｗｉ−Ｆｉ以外の他のウェイクアップを伴う無線システムに適用することが可能である。例えば、ＢｌｕｅｔｏｏｔｈやＺｉｇＢｅｅに代表される近距離無線通信網における無線通信システムに用いることが出来る。その際の構成は、Ｗｉ−Ｆｉを用いた場合と同様になるため、省略する。
【００５８】
また、本実施形態においては、無線端末の一例としてスマートホンなどのモバイル端末を挙げた。しかしながら、本発明の実施はモバイル端末を用いる場合に限定されない。本実施形態の実施には、モバイル端末の代わりに、例えば、無線通信機能を備えるパーソナルコンピュータやセンサノード、電力メータなどを用いることが考えられる。
【００５９】
＜実施形態２＞
次に、本発明の第２の実施形態を、図７乃至図９を用いて説明する。図７は、ウェイクアップ信号などを無線フレームのフレーム長にて表して送信する際の構成を示す図である。図８は、Ｗｉ−Ｆｉ基地局２のウェイクアップ信号送信部２１が記憶するビット列フレーム長対応表の一例を示す図である。図９は、モバイル端末３のウェイクアップ信号受信部３１が記憶するフレーム長ビット列対応表の一例を示す図である。
【００６０】
第２の実施形態では、第１の実施形態で説明したＷｉ−Ｆｉ基地局２のウェイクアップ信号送信部２１が送信するウェイクアップ信号を含む送信信号情報の具体的な送信の仕方の一例について説明する。従って、本実施形態では、第１の実施形態と同様の構成を備えている。第１の実施形態と重複する部分については、既に説明したため省略する。
【００６１】
図７で示すように、本実施形態におけるウェイクアップ信号送信部２１は、フレーム長によって表した無線フレームを用いてウェイクアップ信号を含む送信信号情報を送信することを特徴とする。具体的に本実施形態においては、図７で示すように、ウェイクアップ信号４１と、ネットワーク名情報４２１と、使用チャネル情報４２２と、を無線フレームのフレーム長によって表して送信する場合について説明する。
【００６２】
なお、ここでいう無線フレームとしては、例えば、Ｗｉ−Ｆｉ基地局２が定期的に送信するビーコンや他のモバイル端末に対して送信するデータフレームなどを用いることが出来る。または、特定の値ではない乱数値を用いて生成したフレームを用いても構わない。
【００６３】
また、本実施形態におけるウェイクアップ信号４１は、ウェイクアップさせる対象を指定出来るよう構成されている。具体的には、本実施形態におけるウェイクアップ信号４１（ビット列で表現される）は、ウェイクアップさせる端末を特定する端末特定情報を含んで構成されている。
【００６４】
以下、本実施形態において特徴的な構成について説明する。
【００６５】
本実施形態におけるＷｉ−Ｆｉ基地局２のウェイクアップ信号送信部２１は、図８で示すビット列フレーム長対応表を記憶している。また、ウェイクアップ信号送信部２１は、フレーム長調整手段（制御手段）を備えている。
【００６６】
ビット列フレーム長対応表には、送信する情報（を示すためのビット列）と、送信する無線フレームのフレーム長（μｓ）とが、１対１で対応して記憶されている。そのため、ウェイクアップ信号送信部２１は、ビット列フレーム長対応表に基づいて、後述するフレーム長調整手段により送信したい情報（を示すビット列）を示すように無線フレームのフレーム長を調整することが出来る。そして、ウェイクアップ信号送信部２１は、無線フレームのフレーム長を調整した後、当該調整したフレーム長の無線フレームを送信することになる。
【００６７】
フレーム長調整手段は、例えば、ウェイクアップ信号送信部２１が、送信する無線フレームのデータ部分であるペイロード長を調整することで実現される。また、例えば、ウェイクアップ信号送信部２１が無線フレームの伝送レートを調整することで実現される。具体的には、ウェイクアップ信号送信部２１のフレーム長調整手段は、例えば、目的のフレーム長に最も近くなるように調整したペイロード長の無線フレームを生成する。又は、ウェイクアップ信号送信部２１のフレーム長調整手段は、無線フレームの時間長が目的のフレーム長になるように無線フレームの伝送レートを調整する。このように調整することで、ウェイクアップ信号送信部２１は、ビット列に応じたフレーム長の無線フレームを送信することが出来る。
【００６８】
このように、ウェイクアップ信号送信部２１は、ペイロード長を調整した無線フレームを生成して送信したり、他の端末に対する無線フレームの伝送レートを調整したりすることが出来るように構成される。また、ウェイクアップ信号送信部２１による無線フレームのフレーム長の調整は、ビット列フレーム長対応表に基づいて行われる。このような構成により、ウェイクアップ信号送信部２１は、ビット列に対応するフレーム長で無線フレームを送信することが可能になる。つまり、本実施形態におけるウェイクアップ信号送信部２１は、ウェイクアップ信号４１と、ネットワーク名情報４２１と、使用チャネル情報４２２と、を無線フレームのフレーム長で表してモバイル端末３へと送信することが可能になる。
【００６９】
続いて、上述した方法により送信されたウェイクアップ信号４１と、ネットワーク名情報４２１と、使用チャネル情報４２２と、を受信するモバイル端末３の構成について説明する。
【００７０】
本実施形態におけるモバイル端末３のウェイクアップ信号受信部３１は、包絡線検波によってフレーム長を検出することが出来るように構成されている。包絡線検波を用いてフレーム長を検出することで、単純な回路でフレーム長を検出することが可能となり、当該検出に伴う消費電力を抑えることが可能となる。なお、包絡線検波を行うための構成については、既知の技術であるため省略する。
【００７１】
また、ウェイクアップ信号受信部３１は、図９で示すフレーム長ビット列対応表を記憶している。フレーム長ビット列対応表には、受信した無線フレームのフレーム長と、当該無線フレームのフレーム長に対応するビット列と、が１対１で記憶されている。ウェイクアップ信号受信部３１は、受信した無線フレームのフレーム長を、包絡線検波を用いて検出する。そして、ウェイクアップ信号受信部３１は、フレーム長ビット列対応表を用いて当該検出したフレーム長をビット列に変換して情報を取得することになる。
【００７２】
その後、ウェイクアップ信号受信部３１は、ビット列に変換することで取得した情報に基づいて、当該受信したウェイクアップ信号が示す端末特定情報に自身が合致するか否か判断する。そして、ウェイクアップ信号受信部３１を備えるモバイル端末３がウェイクアップの対象であると判断した場合、Ｗｉ−Ｆｉ機能制御部は、当該モバイル端末３のＷｉ−ＦｉをＯＦＦからＯＮに切り替える。そしてその後、モバイル端末３は、受信したネットワーク名情報４２１と使用チャネル情報４２２とを用いてＷｉ−Ｆｉ基地局２に接続を試みることになる。
【００７３】
なお、ウェイクアップ信号受信部３１による包絡線検波を用いたフレーム長の検出は、例えば、バンドパスフィルタなどを通した後に包絡線検波を行い、検出した信号をビット値に変換した上で当該ビット値の計測を行うことで実現される。具体的には、ウェイクアップ信号受信部３１は、上記動作により変換されたビット値の、”０”のビット値が検出されるまでの”１”のビット値の数を数えることで、無線フレームのフレーム長を計測することになる。そのため、上述したフレーム長とビット列との対応を示すフレーム長ビット列対応表は、フレーム長の代わりに、無線フレームのフレーム長を示すビット値の累積個数を用いても構わない。つまり、ウェイクアップ信号受信部３１は、ビット値の累積個数とビット列との対応を示す表を記憶していても構わない。
【００７４】
また、ウェイクアップ信号受信部３１は、他の端末から送信された無線フレームの割り込みに対処するため、Ｗｉ−Ｆｉ基地局２（のウェイクアップ信号送信部２１）からの無線フレームを受信したあと、予め定められた一定の時間待機するように構成することが出来る。この構成の詳細については、既知の技術であるため省略する。
【００７５】
また、本実施形態においては、ビット列とフレーム長との対応を一例として挙げた。しかしながら、本発明は、本実施形態において説明した場合に限られず実施可能である。例えば、６つのビット値を１つのグループとして無線フレームのフレーム長で表現しても構わない。また、本実施形態では、ウェイクアップ信号４１とネットワーク名情報４２１と使用チャネル情報４２２とは、それぞれ２組の無線フレームのフレーム長で表されるとした。しかしながら、本発明は、２組の無線フレームのフレーム長でウェイクアップ信号などを表現する場合に限られず実施可能である。
【００７６】
また、本実施形態においては、ウェイクアップ信号４１と、ネットワーク名情報４２１と、使用チャネル情報４２２と、を無線フレームのフレーム長にて表して送信する場合について説明した。しかしながら、例えば、認証処理情報４３までを含めて、無線フレームのフレーム長にて表して送信するようにウェイクアップ信号送信部２１を構成しても構わない。
【００７７】
このように、本実施形態におけるＷｉ−Ｆｉ基地局２のウェイクアップ信号送信部２１は、ビット列フレーム長対応表を備えている。また、ウェイクアップ信号送信部２１は、フレーム長調整手段を備えている。さらに、モバイル端末３のウェイクアップ信号受信部３１は、フレーム長ビット列対応表を備えている。このような構成により、ウェイクアップ信号送信部２１は、無線フレームのフレーム長によって表したウェイクアップ信号を含む送信信号情報をモバイル端末３に送信することが出来る。また、モバイル端末３は、無線フレームのフレーム長によって表したウェイクアップ信号を含む送信信号情報を受信することにより、ウェイクアップ信号などを受信することが出来る。その結果、Ｗｉ−Ｆｉ待機中の消費電力を抑えつつ、ウェイクアップ信号に応じて早期にＷｉ−Ｆｉを起動させ、迅速に通信を確立させることが出来るようになる。
【００７８】
＜実施形態３＞
次に、第３の実施形態について、図１０乃至図１４を用いて説明する。図１０、図１１は、本実施形態における通信システムの構成を示す図である。図１２は、図８で示すＷｉ−ＦｉＯＦＦ信号送信装置８送信する信号の構成を示す図である。図１３は、一般的な通信システムにおけるＡＰ５とＳＴＡ６との動作を示すシーケンス図である。図１４は、第２の実施形態における通信システム１の動作を示すシーケンス図である。
【００７９】
（構成）
第３の実施形態では、図１０で示すように、Ｗｉ−Ｆｉ基地局２０とモバイル端末３０とを備える通信システム１０について説明する。具体的には、本実施形態では、Ｗｉ−Ｆｉ基地局２０のセルの範囲内に侵入することでＷｉ−ＦｉがＯＮになった（接続が確立した）モバイル端末３０が、Ｗｉ−Ｆｉ基地局２０のセルの範囲外に移動する場合について説明する。
【００８０】
Ｗｉ−Ｆｉ基地局２０は、第１の実施形態で説明したＷｉ−Ｆｉ基地局２と同様の構成を備えている。つまり、本実施形態におけるＷｉ−Ｆｉ基地局２０は、ウェイクアップ信号送信部２１を備えている。また、ウェイクアップ信号送信部２１は、ウェイクアップ信号４１と、接続情報４２と、認証処理情報４３と、を送信する。各構成についての説明は、第１の実施形態と同様のため省略する。
【００８１】
モバイル端末３０は、第１の実施形態で説明したモバイル端末３と同様の構成を備えている。つまり、本実施形態におけるモバイル端末３０は、ウェイクアップ信号受信部３１と、Ｗｉ−Ｆｉ機能制御部と、を備えている。ここで、ウェイクアップ信号受信部３１の構成は、第１の実施形態と同様である。そのため、ウェイクアップ信号受信部３１についての説明は省略する。また、本実施形態におけるＷｉ−Ｆｉ機能制御部は、第１の実施形態と同様の構成を備えており、さらに、Ｗｉ−Ｆｉ機能をＯＮからＯＦＦに切り替えることが出来るように構成されている。
【００８２】
さらに、本実施形態におけるモバイル端末３０（又は、通信システム１０）は、Ｗｉ−Ｆｉを用いた接続（モバイル端末３と接続状態にあるＷｉ−Ｆｉ基地局２との接続）が切断された場合に、当該Ｗｉ−ＦｉをＯＮからＯＦＦに切り替えるためのＷｉ−Ｆｉ機能停止手段を備えている。
【００８３】
Ｗｉ−Ｆｉ機能停止手段は、例えば、モバイル端末３０とＷｉ−Ｆｉ基地局２０との接続が切断されてから経過した時間を計測するタイマ機能をモバイル端末３０が備えることで実現される。具体的には、モバイル端末３０とＷｉ−Ｆｉ基地局２０との接続が切断された場合、当該モバイル端末３０が備えるタイマ機能が、接続が切断されている時間の計測を行う。そして、モバイル端末３０とＷｉ−Ｆｉ基地局２０との接続が切断されてからの経過時間が予め定められた時間を経過した場合、タイマ機能は、Ｗｉ−Ｆｉ機能制御部を介して、Ｗｉ−ＦｉをＯＮからＯＦＦに切り替える。
【００８４】
このように構成することで、Ｗｉ−Ｆｉを用いた接続がない場合に、自動でＷｉ−ＦｉをＯＦＦに切り替えることが出来る。一般的な通信システムにおいては、Ｗｉ−Ｆｉが使える場所を探すためにＷｉ−ＦｉをＯＮにしておく必要がある。しかしながら、本発明によると、ウェイクアップ信号を用いることで、Ｗｉ−ＦｉをＯＦＦからＯＮに迅速に切り替えることが可能になる。そのため、Ｗｉ−Ｆｉを用いた接続（モバイル端末３０と接続可能なＷｉ−Ｆｉ基地局２０）がない場合にＷｉ−ＦｉをＯＮにしておく必要がなくなり、Ｗｉ−ＦｉをＯＦＦにしておくことが可能となる。
【００８５】
また、Ｗｉ−Ｆｉ機能停止手段は、例えば図１１で示すように、Ｗｉ−Ｆｉ基地局２０のセルの範囲を離れる際に必ず通るゲート等に、Ｗｉ−ＦｉをＯＮからＯＦＦに切り替えるＷｉＦｉＯＦＦ信号を送信するように通信システム１０を構成することで実現できる。
【００８６】
具体的には、図１１で示すように、通信システム１０が、Ｗｉ−Ｆｉ基地局２０と、モバイル端末３０と、ＷｉＦｉＯＦＦ信号送信装置７と、を備えることで、通信システム１０が備えるＷｉ−Ｆｉ機能停止手段を実現することが出来る。
【００８７】
ＷｉＦｉＯＦＦ信号送信装置７は、Ｗｉ−Ｆｉ基地局２０のセルの範囲を離れる際に必ず通るゲート等の付近に置かれる装置である。ＷｉＦｉＯＦＦ信号送信装置７は、図１２で示すように、ＷｉＦｉＯＦＦ信号７１を送信することが出来るように構成される。なお、ＷｉＦｉＯＦＦ信号送信装置７としては、例えば、ＷｉＦｉＯＦＦ信号７１を送信可能なように構成したＷｉ−Ｆｉ基地局２０を用いることが出来る。
【００８８】
ＷｉＦｉＯＦＦ信号７１は、当該ＷｉＦｉＯＦＦ信号７１を受信したモバイル端末３０に装備されたＷｉ−Ｆｉ機能をＯＮからＯＦＦに切り替える信号である。具体的には、ＷｉＦｉＯＦＦ信号７１を受信したウェイクアップ信号受信部３１は、Ｗｉ−Ｆｉ機能制御部を介して、Ｗｉ−ＦｉをＯＮからＯＦＦに切り替えることになる。このように構成することで、Ｗｉ−Ｆｉ基地局２０のセルの範囲から移動するモバイル端末３０のＷｉ−ＦｉをＯＮからＯＦＦに迅速に切り替えることが可能になる。
【００８９】
以上が、本実施形態における通信システム１０の構成である。なお、Ｗｉ−Ｆｉ機能停止手段は上述した例の場合に限られない。例えば、モバイル端末３０のタイマ機能を用いて、モバイル端末３０がウェイクアップ信号を受信しなくなってから所定の時間経過した場合に、Ｗｉ−ＦｉをＯＦＦに切り替えるように構成しても構わない。上述したように、ウェイクアップ信号はＷｉ−Ｆｉ基地局２０から定期的に送信される。そのため、モバイル端末３０がウェイクアップ信号を受信しなくなってから所定の時間経過した場合には、モバイル端末３０はＷｉ−Ｆｉ基地局２０のセルの範囲外に移動したと考えられるからである。このように、Ｗｉ−Ｆｉ機能停止手段は、無線ＬＡＮ接続を終了したモバイル端末３０のＷｉ−Ｆｉ機能をＯＦＦに切り替えることが出来れば、その実現手段は問わない。
【００９０】
次に、本実施形態における通信システム１０の動作を、図１３、図１４を用いて説明する。
【００９１】
（動作）
まず、一般的な通信システムの場合について図１３を用いて説明する。一般的な通信システムにおいては、図１３に示すように、Ｗｉ−Ｆｉ基地局２０のセルの範囲外へモバイル端末３０が移動した後も、モバイル端末３０のＷｉ−ＦｉはＯＮであり続けることになる。つまり、モバイル端末３０は、Ｗｉ−Ｆｉ基地局２０のセルの範囲外へ移動した後は、チャネルのスキャンを定期的に行う（次に接続可能なＷｉ−Ｆｉ基地局を探す）ことになる。
【００９２】
一方、本実施形態における通信システム１０によると、図１４で示すように、Ｗｉ−Ｆｉ基地局２０のセルの範囲外へモバイル端末３０が移動した場合、例えば、ＷｉＦｉＯＦＦ信号送信装置７がＷｉＦｉＯＦＦ信号７１を送信する。
【００９３】
そして、ＷｉＦｉＯＦＦ信号送信装置７が送信したＷｉＦｉＯＦＦ信号７１を、モバイル端末３０のウェイクアップ信号受信部３１が受信する。その後、ＷｉＦｉＯＦＦ信号７１を受信したウェイクアップ信号受信部３１は、Ｗｉ−Ｆｉ機能制御部を介して、Ｗｉ−ＦｉをＯＮからＯＦＦに切り替えることになる。
【００９４】
このように、本実施形態における通信システム１０は、Ｗｉ−Ｆｉ機能停止手段を備えている。このように構成することで、通信システム１０は、Ｗｉ−Ｆｉ基地局２０のセルの範囲から移動したモバイル端末３０のＷｉ−ＦｉをＯＮからＯＦＦに切り替えることが可能になる。その結果、例えば、チャネルのスキャンを行うことにより消費する電力を節約することが可能になる。
【００９５】
なお、本実施形態において説明したＷｉＦｉＯＦＦ信号送信装置７は、Ｗｉ−Ｆｉ基地局２０のセルの範囲を離れる際に必ず通るゲート等の付近以外に設置しても構わない。例えば、飛行機などの無線利用禁止区間の入り口に設置することが考えられる。無線利用禁止区間の入り口にＷｉＦｉＯＦＦ信号送信装置７を設置することで、当該入り口から侵入するモバイル端末３０のＷｉ−Ｆｉを自動的にＯＦＦに切り替えることが可能になる。
【００９６】
＜実施形態４＞
次に、本発明の第４の実施形態を、図１５、図１６を用いて説明する。図１５は、第４の実施形態における基地局８の構成の概略を示すブロック図である。図１６は、図１５で示す基地局８が送信する送信信号情報の構成を示すブロック図である。
【００９７】
第４の実施形態では主に、ウェイクアップ信号を送信する基地局８について説明する。なお、本実施形態では、基地局８の構成の概略について説明する。
【００９８】
本実施形態における基地局８は、図１５に示すように、ウェイクアップ信号送信部８１を備えている。ウェイクアップ信号送信部８１とは、無線端末に対してウェイクアップ信号を含む送信信号情報を送信する部分である。
【００９９】
ウェイクアップ信号送信部８１は、図１６で示すように、ウェイクアップ信号８２に接続情報８３を加えて送信信号情報として送信する。ここで、ウェイクアップ信号８２とは、無線端末に対して送信され、当該無線端末に装備された所定の機能を起動させる信号である。また、接続情報８３とは、ウェイクアップ信号８２の送信先である無線端末が、ウェイクアップ信号によって起動した所定の機能を用いて無線通信にて接続するための情報である。
【０１００】
このように、本実施形態における基地局８は、ウェイクアップ信号８２と接続情報８３とを送信信号情報として送信するウェイクアップ信号送信部８１を備えている。このような構成により、基地局８からの送信信号情報を取得した無線端末９は、ウェイクアップ信号８２を受信すると共に接続情報８３を受信することが出来ることが出来る。その結果、無線端末９は、ウェイクアップ信号８２により所定の機能を起動させると共に、当該起動させた所定の機能と接続情報８３とを用いて、基地局８と接続処理を行うことが出来るようになる。つまり、チャネルのスキャンなどを行う必要がなくなり、基地局８と無線端末９との間で迅速に通信を確立することが可能になる。
【０１０１】
また、上述した基地局は、当該基地局に所定のプログラムが組み込まれることで実現できる。具体的に、本発明の他の形態であるプログラムは、基地局に無線端末に対して当該無線端末に装備された所定の機能を起動させるウェイクアップ信号を含む送信信号情報を無線通信にて送信するウェイクアップ信号送信手段を実現させるプログラムである。また、このようなプログラムにより実現されるウェイクアップ信号送信手段は、ウェイクアップ信号に、当該ウェイクアップ信号の送信先である無線端末が所定の機能を用いて無線通信にて接続するための接続情報を加えて送信信号情報として無線端末に送信する機能を有している。
【０１０２】
このような構成を有するプログラムの発明であっても、上記基地局８と同様の作用を有するために、上述した本発明の目的を達成することが出来る。
【０１０３】
＜実施形態５＞
次に、本発明の第５の実施形態を、図１７を用いて説明する。図１７は、無線端末９の構成の概略を示すブロック図である。
【０１０４】
第５の実施形態では、接続情報が付加されたウェイクアップ信号を受信する無線端末９について説明する。なお、本実施形態では、無線端末９の構成の概略について説明する。
【０１０５】
本実施形態における無線端末９は、図１７に示すように、ウェイクアップ信号受信部９１を備えている。ウェイクアップ信号受信部９１とは、基地局と所定の機能を用いて無線通信にて接続するための情報である接続情報が付加されたウェイクアップ信号を基地局から受信する部分である。
【０１０６】
接続情報が付加されたウェイクアップ信号をウェイクアップ信号受信部９１にて受信した無線端末９は、まず、ウェイクアップ信号に応じて所定の機能を起動させる。そして、無線端末９は、ウェイクアップ信号に応じて起動させた所定の機能と、接続情報と、を用いて接続処理を行うことになる。
【０１０７】
このように、本実施形態における無線端末９は、接続情報が付加されたウェイクアップ信号を受信するウェイクアップ信号受信部９１を備えている。このような構成により、無線端末９は、接続信号が付加されたウェイクアップ信号を基地局から受信することが出来る。その結果、無線端末９は、ウェイクアップ信号８２により所定の機能を起動させると共に、当該起動させた所定の機能と接続情報８３とを用いて、基地局８と接続処理を行うことが出来るようになる。つまり、チャネルのスキャンなどを行う必要がなくなり、基地局８と無線端末９との間で迅速に通信を確立することが可能になる。
【０１０８】
また、上述した無線端末は、当該無線端末に所定のプログラムが組み込まれることで実現できる。具体的に、本発明の他の形態であるプログラムは、無線端末に、基地局から当該基地局と所定の機能を用いて無線通信にて接続するための接続情報が付加されたウェイクアップ信号を受信するウェイクアップ信号受信手段を実現させ、ウェイクアップ信号受信手段が受信したウェイクアップ信号に応じて所定の機能を起動させ、当該起動させた所定の機能にて、接続情報を用いて接続処理を行う機能を有している。
【０１０９】
このような構成を有するプログラムの発明であっても、上記無線端末９と同様の作用を有するために、上述した本発明の目的を達成することが出来る。
【０１１０】
＜実施形態６＞
次に、本発明の第６の実施形態を、図１８を用いて説明する。図１８は、基地局１０１と、無線端末１０３と、から構成される通信システム１００の構成の概略を示すブロック図である。
【０１１１】
第６の実施形態では、送信信号情報を送信する基地局１０１と、基地局１０１が送信する送信信号情報を受信する無線端末１０３と、から構成される通信システム１００について説明する。なお、本実施形態では、通信システム１００の構成の概略について説明する。
【０１１２】
本実施形態における通信システム１００は、図１８に示すように、送信信号情報を送信する基地局１０１と、基地局１０１から送信される送信信号情報を受信する無線端末１０３と、を備えて構成されている。
【０１１３】
図１８で示すように、基地局１０１は、無線端末１０３に対して当該無線端末１０３に装備された所定の機能を起動させるウェイクアップ信号を含む送信信号情報を無線通信にて送信するウェイクアップ信号送信部１０２を備えている。また、ウェイクアップ信号送信部１０２は、ウェイクアップ信号に、当該ウェイクアップ信号の送信先である無線端末１０３が所定の機能を用いて無線通信にて接続するための接続情報を加えて送信信号情報として無線端末１０３に送信するように構成されている。
【０１１４】
無線端末１０３は、ウェイクアップ信号と、接続情報と、からなる送信信号情報を受信する。そして、ウェイクアップ信号と、接続情報と、を受信した無線端末１０３は、ウェイクアップ信号に応じて無線端末１０３が装備する所定の機能を起動させる。その後、無線端末１０３は、当該起動させた所定の機能にて、接続情報を用いて接続処理を行うことになる。
【０１１５】
このように、本実施形態における通信システム１００は、送信信号情報を送信する基地局１０１と、基地局１０１が送信する送信信号情報を受信する無線端末１０３と、を備えて構成されている。このような構成により、無線端末１０３は、ウェイクアップ信号と、接続情報と、からなる送信信号情報を基地局１０１から受信することが出来る。その結果、無線端末１０３は、ウェイクアップ信号により所定の機能を起動させると共に、当該起動させた所定の機能と接続情報とを用いて、基地局１０１と接続処理を行うことが出来るようになる。つまり、チャネルのスキャンなどを行う必要がなくなり、基地局１０１と無線端末１０３との間で迅速に通信を確立することが可能になる。
【０１１６】
また、上述した通信システム１００において実行される通信方法は、基地局が、無線端末に装備された所定の機能を起動させるウェイクアップ信号と、ウェイクアップ信号の送信先である無線端末が所定の機能を用いて無線通信にて接続するための接続情報と、を無線端末に送信し、ウェイクアップ信号と接続情報とを受信した無線端末は、ウェイクアップ信号に応じて所定の機能を起動させ、当該起動させた所定の機能にて、接続情報を用いて接続処理を行う、という通信方法である。
【０１１７】
このような構成を有する通信方法の発明であっても、上記通信システム１００と同様の作用を有するために、上述した本発明の目的を達成することが出来る。
【０１１８】
＜付記＞
上記実施形態の一部又は全部は、以下の付記のようにも記載されうる。以下、本発明における情報処理装置などの概略を説明する。但し、本発明は、以下の構成に限定されない。
【０１１９】
（付記１）
無線端末に対して当該無線端末に装備された所定の機能を起動させるウェイクアップ信号を含む送信信号情報を無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信する、
基地局。
【０１２０】
この構成によると、基地局はウェイクアップ信号送信部を備えている。また、ウェイクアップ信号送信部は、ウェイクアップ信号に加えて、接続情報を送信する。このような構成により、基地局からのウェイクアップ信号と接続情報とを受信した無線端末は、ウェイクアップ信号に応じて所定の機能を起動させると共に、当該起動させた所定の機能と接続情報とを用いて、基地局と接続することが出来るようになる。つまり、チャネルのスキャンなどを行う必要がなくなり、迅速に接続を行うことが可能になる。
【０１２１】
（付記２）
付記１に記載の基地局であって、
前記ウェイクアップ信号送信部は、前記無線端末が無線通信にて接続するネットワーク名を示すネットワーク名情報と、無線通信に用いる周波数帯域を示す使用チャネル情報と、を含む前記接続情報を送信する、
基地局。
【０１２２】
この構成によると、接続情報は、ネットワーク名情報と使用チャネル情報とを備えている。このような構成により、接続情報を受信した無線端末は、ネットワーク名情報が示すネットワーク（基地局）に使用チャネル情報が示すチャネルで接続を試みることが出来るようになる。その結果、チャネルのスキャンなどを行う必要がなくなり、基地局（ネットワーク）と迅速に接続することが出来るようになる。
【０１２３】
（付記３）
付記２に記載の基地局であって、
前記所定の機能とは無線通信で基地局と接続する機能であり、
前記ネットワーク名情報とはＥＳＳＩＤ（Ｅｘｔｅｎｄｅｄ  Ｓｅｒｖｉｃｅ  Ｓｅｔ  Ｉｄｅｎｔｉｆｉｅｒ）である、
基地局。
【０１２４】
（付記４）
付記１乃至３いずれか１項に記載の基地局であって、
前記ウェイクアップ信号送信部は、前記ウェイクアップ信号と前記接続情報とに、前記無線端末と前記基地局との間で行われる認証処理に必要となる認証処理情報を加えて前記送信信号情報として送信する、
基地局。
【０１２５】
この構成によると、ウェイクアップ信号送信部は、ウェイクアップ信号と接続情報とに加えて、認証処理情報を送信する。このような構成により、認証処理情報を受信した無線端末は、認証処理情報を用いて認証要求（認証処理の要求）を行うことが可能になる。その結果、接続時の認証処理にかかる時間が短縮されることになる。
【０１２６】
（付記５）
請求項１乃至４いずれか１項に記載の基地局であって、
前記ウェイクアップ信号送信部は、前記無線端末に装備された前記所定の機能を停止させる機能停止信号を送信可能なように構成された、
基地局。
【０１２７】
この構成によると、ウェイクアップ信号送信部は、機能停止信号を送信可能なように構成される。このような構成により、機能停止信号を受信した無線端末の所定の機能を停止させることが可能になる。その結果、所定の機能が稼動することによる電力の消費を抑制することが可能になる。
【０１２８】
（付記６）
付記１乃至５いずれか１項に記載の基地局であって、
前記ウェイクアップ信号送信部は、送信する無線フレームのフレーム長を制御することで、前記無線端末に対して前記送信信号情報を送信する、
基地局。
【０１２９】
この構成によると、ウェイクアップ信号送信部は、送信する無線フレームのフレーム長を制御することで、前記無線端末に対して前記送信信号情報を送信するように構成される。ここで、フレーム長は、単純な回路で検出することが可能である。そのため、このような構成により、（所定の機能が）待機中に消費する電力を抑えることが可能になる。その結果、待機中の消費電力を抑えつつ、ウェイクアップ信号に応じて迅速に接続を確立することが可能になる。
【０１３０】
（付記７）
基地局から当該基地局と所定の機能を用いて無線通信にて接続するための接続情報が付加されたウェイクアップ信号を受信するウェイクアップ信号受信部を備え、
前記ウェイクアップ信号受信部が受信した前記ウェイクアップ信号に応じて所定の機能を起動させ、当該起動させた所定の機能にて、前記接続情報を用いて接続処理を行う、
無線端末。
【０１３１】
（付記７−１）
付記７に記載の無線端末であって、
前記ウェイクアップ信号受信部は前記ウェイクアップ信号と前記接続情報とともに認証処理情報を受信し、
前記ウェイクアップ信号受信部が受信した認証処理情報を用いて認証処理の要求を行う、
無線端末。
【０１３２】
（付記８）
基地局が、無線端末に対して当該無線端末に装備された所定の機能を起動させるウェイクアップ信号を含む送信信号情報を無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信し、
前記ウェイクアップ信号と、前記接続情報と、からなる前記送信信号情報を受信した前記無線端末は、前記ウェイクアップ信号に応じて当該無線端末が装備する前記所定の機能を起動させ、当該起動させた所定の機能にて、前記接続情報を用いて接続処理を行う、
通信システム。
【０１３３】
（付記８−１）
付記８に記載の通信システムであって、
前記ウェイクアップ信号送信部は、前記ウェイクアップ信号と前記接続情報とに、前記無線端末と前記基地局との間で行われる認証処理に必要となる認証処理情報を加えて前記送信信号情報として送信し、
前記無線端末は、前記ウェイクアップ信号と前記接続情報とともに認証処理情報を受信し、前記ウェイクアップ信号受信部が受信した認証処理情報を用いて認証処理の要求を行う、
通信システム。
【０１３４】
（付記９）
基地局が、無線端末に装備された所定の機能を起動させるウェイクアップ信号と、前記ウェイクアップ信号の送信先である前記無線端末が前記所定の機能を用いて無線通信にて接続するための接続情報と、を前記無線端末に送信し、
前記ウェイクアップ信号と前記接続情報とを受信した前記無線端末は、前記ウェイクアップ信号に応じて前記所定の機能を起動させ、当該起動させた所定の機能にて、前記接続情報を用いて接続処理を行う、
通信方法。
【０１３５】
（付記９−１）
付記９に記載の通信方法であって、
前記基地局は、前記ウェイクアップ信号と、前記接続情報と、を前記無線端末に送信する際に、前記ウェイクアップ信号と前記接続信号とに加えて、前記無線端末と前記基地局との間で行われる認証処理に必要となる認証処理情報を送信し、
前記無線端末は前記接続情報に基づいて無線通信を接続した後、前記認証処理情報を用いて前記認証処理の要求を行う、
通信方法。
【０１３６】
（付記１０）
基地局に、
無線端末に対して当該無線端末に装備された所定の機能を起動させるウェイクアップ信号を含む送信信号情報を無線通信にて送信するウェイクアップ信号送信手段を実現させ、
前記ウェイクアップ信号送信手段は、前記ウェイクアップ信号に、当該ウェイクアップ信号の送信先である前記無線端末が前記所定の機能を用いて無線通信にて接続するための接続情報を加えて前記送信信号情報として前記無線端末に送信する機能を有する、
プログラム。
【０１３７】
（付記１０−１）
付記１０に記載のプログラムであって、
前記ウェイクアップ信号送信手段は、前記ウェイクアップ信号と前記接続情報とに加えて、前記無線端末と前記基地局との間で行われる認証処理に必要となる認証処理情報を送信する機能を有する、
プログラム。
【０１３８】
（付記１０−２）
無線端末に、
基地局から当該基地局と所定の機能を用いて無線通信にて接続するための接続情報が付加されたウェイクアップ信号を受信するウェイクアップ信号受信手段を実現させ、
前記ウェイクアップ信号受信手段が受信した前記ウェイクアップ信号に応じて所定の機能を起動させ、当該起動させた所定の機能にて、前記接続情報を用いて接続処理を行う機能を有する、
プログラム。
【０１３９】
なお、上記各実施形態及び付記において記載したプログラムは、記憶装置に記憶されていたり、コンピュータが読み取り可能な記録媒体に記録されていたりする。例えば、記録媒体は、フレキシブルディスク、光ディスク、光磁気ディスク、及び、半導体メモリ等の可搬性を有する媒体である。
【０１４０】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【０１４１】
なお、本発明は、日本国にて２０１３年１１月１３日に特許出願された特願２０１３−２３４７２８の特許出願に基づく優先権主張の利益を享受するものであり、当該特許出願に記載された内容は、全て本明細書に含まれるものとする。
【符号の説明】
【０１４２】
１、１０  通信システム
２、２０  Ｗｉ−Ｆｉ基地局
２１  ウェイクアップ信号送信部
３、３０  モバイル端末
３１  ウェイクアップ信号受信部
４１  ウェイクアップ信号
４２  接続情報
４２１  ネットワーク名情報
４２２  使用チャネル情報
４３  認証処理情報
５  ＡＰ（Ｗｉ−Ｆｉ基地局）
６  ＳＴＡ（モバイル端末）
７  ＷｉＦｉＯＦＦ信号送信装置
７１  ＷｉＦｉＯＦＦ信号
８  基地局
８１  ウェイクアップ信号送信部
８２  ウェイクアップ信号
８３  接続情報
９  無線端末
９１  ウェイクアップ信号受信部
１００  通信システム
１０１  基地局
１０２  ウェイクアップ信号送信部
１０３  無線端末
【図１】
2015072053.tif 000003
【図２】
2015072053.tif 000004
【図３】
2015072053.tif 000005
【図４】
2015072053.tif 000006
【図５】
2015072053.tif 000007
【図６】
2015072053.tif 000008
【図７】
2015072053.tif 000009
【図８】
2015072053.tif 000010
【図９】
2015072053.tif 000011
【図１０】
2015072053.tif 000012
【図１１】
2015072053.tif 000013
【図１２】
2015072053.tif 000014
【図１３】
2015072053.tif 000015
【図１４】
2015072053.tif 000016
【図１５】
2015072053.tif 000017
【図１６】
2015072053.tif 000018
【図１７】
2015072053.tif 000019
【図１８】
2015072053.tif 000020
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
無線端末に対して当該無線端末に装備された所定の機能を起動させるウェイクアップ信号を含む送信信号情報を基地局に帰属させる処理を経ずに無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信する、
基地局。
【請求項２】
請求項１に記載の基地局であって、
前記ウェイクアップ信号送信部は、前記無線端末が無線通信にて接続するネットワーク名を示すネットワーク名情報と、無線通信に用いる周波数帯域を示す使用チャネル情報と、を含む前記接続情報を送信する、
基地局。
【請求項３】
請求項２に記載の基地局であって、
前記所定の機能とは無線通信で基地局と接続する機能であり、
前記ネットワーク名情報とはＥＳＳＩＤ（Ｅｘｔｅｎｄｅｄ  Ｓｅｒｖｉｃｅ  Ｓｅｔ  Ｉｄｅｎｔｉｆｉｅｒ）である、
基地局。
【請求項４】
請求項１乃至３いずれか１項に記載の基地局であって、
前記ウェイクアップ信号送信部は、前記ウェイクアップ信号と前記接続情報とに、前記無線端末と前記基地局との間で行われる認証処理に必要となる認証処理情報を加えて前記送信信号情報として送信する、
基地局。
【請求項５】
請求項１乃至４いずれか１項に記載の基地局であって、
前記ウェイクアップ信号送信部は、前記無線端末に装備された前記所定の機能を停止させる機能停止信号を送信可能なように構成された、
基地局。
【請求項６】
請求項１乃至５いずれか１項に記載の基地局であって、
前記ウェイクアップ信号送信部は、送信する無線フレームのフレーム長を制御することで、前記無線端末に対して前記送信信号情報を送信する、
基地局。
【請求項７】
基地局から当該基地局と所定の機能を用いて無線通信にて接続するための接続情報が付加されたウェイクアップ信号を、当該基地局に帰属させる処理を経ずに受信するウェイクアップ信号受信部を備え、
前記ウェイクアップ信号受信部が受信した前記ウェイクアップ信号に応じて所定の機能を起動させ、当該起動させた所定の機能にて、前記接続情報を用いて接続処理を行う、
無線端末。
【請求項８】
基地局が、無線端末に対して当該無線端末に装備された所定の機能を起動させるウェイクアップ信号を含む送信信号情報を当該基地局に帰属させる処理を経ずに無線通信にて送信するウェイクアップ信号送信部を備え、
前記ウェイクアップ信号送信部は、前記ウェイクアップ信号に、当該ウェイクアップ信号の送信先である前記無線端末が前記所定の機能を用いて無線通信にて接続するための接続情報を加えて前記送信信号情報として前記無線端末に送信し、
前記ウェイクアップ信号と、前記接続情報と、からなる前記送信信号情報を受信した前記無線端末は、前記ウェイクアップ信号に応じて当該無線端末が装備する前記所定の機能を起動させ、当該起動させた所定の機能にて、前記接続情報を用いて接続処理を行う、
通信システム。
【請求項９】
基地局が、無線端末に装備された所定の機能を起動させるウェイクアップ信号と、前記ウェイクアップ信号の送信先である前記無線端末が前記所定の機能を用いて無線通信にて接続するための接続情報と、を当該基地局に帰属させる処理を経ずに前記無線端末に送信し、
前記ウェイクアップ信号と前記接続情報とを受信した前記無線端末は、前記ウェイクアップ信号に応じて前記所定の機能を起動させ、当該起動させた所定の機能にて、前記接続情報を用いて接続処理を行う、
通信方法。
【請求項１０】
基地局に、
無線端末に対して当該無線端末に装備された所定の機能を起動させるウェイクアップ信号を含む送信信号情報を、当該基地局に帰属させる処理を経ずに無線通信にて送信するウェイクアップ信号送信手段を実現させ、
前記ウェイクアップ信号送信手段は、前記ウェイクアップ信号に、当該ウェイクアップ信号の送信先である前記無線端末が前記所定の機能を用いて無線通信にて接続するための接続情報を加えて前記送信信号情報として前記無線端末に送信する機能を有する、
プログラム。
【国際調査報告】
2015072053.tif 000021
2015072053.tif 000022
2015072053.tif 000023
2015072053.tif 000024